Podtech/llm-jp-corpus-v4-ja_patent huggingface dataset:
(57)【要約】      （修正有）【課題】磁気を使った腰部磁気ベルトに工夫を加え、その効果を一層高めるもので、症状により、磁石体をその患部に集中的に当てることができるようにしたもので、磁気具に厚みを加え、患部を磁気の効能と押圧すという、相乗効果を上げられるようにした磁気ベルトを提供する。【解決手段】磁気ベルト本体１の上面に、マジックテープ２とマジックテープ３、下面にマジックテープ４を装着し、マジックテープ２の面に、磁気具５をどの位置にでも、自由自在に取り付けられることを特徴とする。【選択図】  図１
2005007130.tif 000002
【特許請求の範囲】
【請求項１】
磁気ベルトにおいて、磁気ベルト本体（１）の上面に、マジックテープ（２）とマジックテープ（３）、下面にマジックテープ（４）を装着し、マジックテープ（２）の面に、磁気具（５）をどの位置にでも、自由自在に取り付けられることを特徴とした磁気ベルト。
【発明の詳細な説明】
【０００１】
【発明に属する技術分野】
この発明は、磁石を使った腰部磁気ベルトに工夫を加え、その効果を一層高めるもので、症状により、磁気具をその患部に集中的に当てることができるようにしたもので、磁気具を、図４のように厚みを加え、患部を磁気の効能と押圧すという、相乗効果を上げられるようにした磁気ベルトに関するものである。
【０００２】
【従来の技術】
従来は、磁石体の配列位置は、汎用型で固定されているし、その厚みも薄く、磁気のみの効果を狙ったものである。
例えば、腰痛などの症状では、上下、左右に片寄ることもあるが、従来の磁気ベルトでは、夫々の症状により、磁石体を自由に変えることはできなかった。
尚、本発明は、磁気具を図５のように厚くしたことで、磁気効果と患部を押す効果も可能になった。
【０００３】
【発明が解決しようとする課題】
従来品は次のような欠点があった。
（イ）  各自によって治療したい場所は、まちまちであるが、従来品は汎用型で磁石体は当然固定されている。
（ロ）  例えば、腰痛の場合など、腰部の上下とか左右に片寄る場合もあるが、その場合、本発明は、自由に磁石体の位置を変えることができる。
（ハ）  本発明は、磁石体を図５のように厚くして、患部に磁気効果と指圧の効果もあげられるようにした。
【０００４】
【課題を解決するための手段】
ベルト本体（１）に、マジックテープ（２）（登録商標）とマジックテープ（３）、マジックテープ（４）を設ける。
磁石本体（５ａ）、間隔板（５ｂ）、マジックテープ（５ｃ）、包装メッシュ（５ｄ）をまとめて、磁気具（５）とした。
本発明は、以上の構成よりなる磁気ベルトである。
【０００５】
【発明の実施の形態】
以下、本発明の実施の形態を説明する。
磁気ベルト本体（１）の腰部に当る側にマジックテープ（２）を装着する。
磁気具（５）の下面に、マジックテープ（５ｃ）を装着する。
マジックテープ（２）のどの位置にも簡単に、自由に移動できるようにする。
磁気具（５）の構造は、図４に示すように、磁石本体（５ａ）と間隔板（５ｂ）を重ね、包装メッシュ（５ｄ）で包み、その下部にマジックテープ（５ｃ）を装接し、全体を厚くして磁気効果と指圧のような患部を押す、相乗効果を上げるようにした。
【０００６】
【発明の効果】
（イ）  本発明は、各自、各容、症状によって患部の位置が違うが、マジックテープ（２）の上をどの位置にでも自由自在に磁気具（５）を取り付けることができる。
図６にその２例を示すが、上下、左右、或いは一方に片寄せて集中して、磁気効果を上げることができる。
（ロ）  磁気具（５）は、図４のように厚くして、患部を指圧の要領で押すことによって、磁気効果を高めることができる。
【図面の簡単な説明】
【図１】本発明の内側（肌に当る面）を示す平面図である。
【図２】本発明の側面図である。
【図３】本発明の外側平面図である。
【図４】本発明の磁気具の側面切断図である。
【図５】本発明の磁気具の平面図である。
【図６】本発明の磁気具を下方に集中した平面図である。
【図７】本発明の磁気具を左右に分割した平面図である。
【符号の説明】
１    磁気ベルト本体
２    マジックテープ（軟）
３    マジックテープ（硬）
４    マジックテープ（軟）
５    磁気具
５ａ  磁石
５ｂ  間隔板
５ｃ  マジックテープ（硬）
５ｄ  包装メッシュ布
【図１】
2005007130.tif 000003
【図２】
2005007130.tif 000004
【図３】
2005007130.tif 000005
【図４】
2005007130.tif 000006
【図５】
2005007130.tif 000007
【図６】
2005007130.tif 000008
【図７】
2005007130.tif 000009
(57)【要約】【課題】魚を美味しく焼ける魚焼き器を提供する。【解決手段】下方を塞ぎ上方を中空上にした本体（４）に、空気孔（１）と蓋（２）を設け、ガスコンロ（３）を収納し、挿入孔のあるクシ穴（１２）と持ち手（６）を付設した焼き器（７）を、中蓋（８）を設け下方を塞ぎ中空上にした収納器（９）に収納し、収納器（９）を本体（４）に収納した魚焼き器。【選択図】  図２
2005007123.tif 000002
【特許請求の範囲】
【請求項１】
一方を塞ぎ他方を開放し内部を中空上にした本体（４）に、空気孔（１）と蓋（２）を設け、その本体（４）にガスコンロ（３）を収納し、挿入孔のあるクシ穴（１２）と持ち手（６）を付帯した焼き器（７）を、中蓋（８）を設け下方を塞ぎ内部を中空上にした収納器（９）に収納し、収納器（９）を本体（４）に収納した魚焼き器。
【発明の詳細な説明】
【０００１】
【発明の属する技術分野】
この発明は、二重構造になっている魚焼き器である。
【０００２】
【従来の技術】
従来、魚を焼く場合、ガスコンロに網を乗せて直接火であぶって焼いていた。
【０００３】
【発明が解決しようとする課題】
これには次ぎのような欠点があった。
（イ）魚が焦げてしまった。
（ロ）魚の外側と内側が均等に焼けなかった。
本発明は、これらの欠点を除くためになされたものである。
【０００４】
【課題を解決するための手段】
空気孔（１）と蓋（２）を設け、一方を塞ぎ他方を開放し内部を中空上にした本体（４）を設ける。その本体（４）下部にガスコンロ（３）を収納する。中蓋（８）を設け下方を塞ぎ内部を中空上にした収納器（９）を設ける。挿入孔のあるクシ穴（１２）と持ち手（６）を付帯した焼き器（７）を、中蓋（８）を設けた収納器（９）に収納する。収納器（９）を本体（４）に収納する。
以上の構成からなる魚焼き器である。
【０００５】
【発明の実施の形態】
以下、本発明の実施の形態について説明する。
（イ）下方を塞ぎ上部を開放した円筒形の本体（４）の下部に空気孔（１）、上部に蓋（２）を設ける。
（ロ）本体（４）にガスコンロ（３）を上部開口部より収納する。
（ハ）円柱形状をした焼き器（７）の外周辺部に、クシ棒（１０）が挿入されるクシ穴（１２）を設け、中央部に持ち手（６）を設ける。
（ニ）魚（５）を差したクシ棒（１０）をクシ穴（１２）に差し込む。
（ホ）焼き器（７）を収納器（９）に収納し中蓋（８）をかぶせる。
（ヘ）蓋（２）を本体（４）にかぶせ、蓋止め（１１）でロックして蓋（２）を本体（４）に固定させる。
この発明は以上の構成でこれを使用するときは、ガスボンベに繋いだガスコンロ（３）に点火する。すると収納器（９）が熱せられるので熱気によりクシ棒（１０）に固定された魚（５）が蒸すように焼けるので、焦げ付く事なく、全体がきつね色に焼き上がる。焼き上がる目安は、魚（５）の水分が焼き器（７）に水滴となって落ちた時に、シュ、シュと音が聞こえるので、この時が美味しく焼けた頃合であるので、ここでガスを止め蓋（２）及び中蓋（８）を開け、クシ棒（１０）を取り出せば良い。
又、焼き器（７）を取り出せば収納器（９）は鍋としても使えるので、煮物も作れる。
【０００６】
【発明の効果】
魚は焦げ付く事なく全体がきつね色に焼き上がり、むら無く均等に焼き上がるので美味しく焼ける。一度に大量の魚を焼く事が出来るので、釣り場等のアウトドアで大人数でも楽しめる。
【図面の簡単な説明】
【図１】本発明の斜視図である。
【図２】本発明の透視側面図である。
【図３】本発明の使用状態を示す焼き器の斜視図である。
【図４】本発明の収納器の透視斜視図である。
【図５】本発明の焼き器の透視側面図である。
【図６】本発明のガスコンロの平面図である。
【符号の説明】
１  空気孔                        ２  蓋
３  ガスコンロ                    ４  本体
５  魚                            ６  持ち手
７  焼き器                        ８  中蓋
９  収納器                        １０クシ棒
１１蓋止め                        １２クシ穴
【図１】
2005007123.tif 000003
【図２】
2005007123.tif 000004
【図３】
2005007123.tif 000005
【図４】
2005007123.tif 000006
【図５】
2005007123.tif 000007
【図６】
2005007123.tif 000008
(57)【要約】【目的】装脱着作業の容易な遊戯台の装着装置を提供すること。【構成】内枠側には前方先端にガイド用傾斜面６と係合用凹部３を備えたレバー２を保持金具１０に保持された支持軸１で支点保持し、そのレバーと保持金具の間に回動反発力が作用するようにスプリング１１を取り付け、外枠側には同凹部に係合する係止爪部５を設けたフック金具４を取り付けて、遊戯台の装着装置を構成する。【選択図】  図１
2005007121.tif 000002
【特許請求の範囲】
【請求項１】
前方先端に傾斜面（６）を備え更にフック金具（４）の係止爪部（５）を収容する凹部（３）と側面に突起部（７）を設けた舌状側板（８）を備えて支持軸（１）に保持されたレバー（２）と、その支持軸を保持し内枠（９）に固定された保持金具（１０）と、係止爪部（５）と先端曲部（１４）を備えた側立板部（１３）を有し外枠（１２）に固定されたフック金具（４）と、レバー（２）と保持金具（１０）との間に係止保持されたスプリング（１１）とで構成される遊戯台の装着装置。
【発明の詳細な説明】
【０００１】
【発明の属する技術分野】
本発明はパチンコ遊戯台やスロットマシン等の遊戯設備に於いて設備据え付け用の外枠体に遊戯機能本体部を組付けた内枠部を装着するための技術に関する。
【０００２】
【従来の技術】
従来の遊戯設備に於いて、遊戯台の本体内枠部を装着するための方式には通常のネジ締め固定方式や、軸落とし込み方式、ハンドルによる回転食い込み方式等等の他下記の実施例のように設備毎に色々な方式のものが採用されている。
（従来の実施例として、特開平９−８４９４６、  特開平１１−２０７０１０、特開２００３−１５４１３１、等参照。）
【０００３】
【発明が解決しようとする課題】
パチンコ遊戯台やスロットマシン等の遊戯設備に於いては遊戯客の興味関心を引くためにも次々に新奇性のある遊戯台への入れ替えが行なわれる。そして一店当たりの入れ替え台数も多数であることが多く、その作業の間店を休業せねばならないので、その間を短縮する為にも遊戯台本体の取り外し入れ替え装着作業が容易であることが望ましい。
【０００４】
【課題を解決するための手段】
本発明ではその遊戯台本体機能を備えた内枠部の装着装置としてヒンジ式のフックレバーとスプリングの働きを利用してとワンタッチで着脱作業ができる装着機能を備えた遊戯台の装着装置を提供する。
【０００５】
【発明実施の形態】
本発明の実施の形態を示す様子を図面を参照にして説明する。
図１に於いて、レバー２は、その前方には傾斜面６とフック金具４の係止爪部５を収容する凹部３を設け更にその後の両側面に突起部７を設けた舌状側板８を設けて、その中央部にて保持金具１０にて保持された支持軸１にて支点保持されており。  同保持金具１０はネジ締め等により内枠９に固定してあり、その保持金具とレバー２との間にはスプリング１１が各係止穴１５、１６によって係止保持されている。  また先端に係止爪部５を有するフック金具４は又両側面に先端曲部１４を設けた側立板部１３を備えておりネジ締め等により外枠１２に固定してある。
以上図１のようにして構成された装着装置を図４に示すように左右一対にして遊戯台の外枠と内枠の間に取り付ける。  尚この実施例では内枠９には蝶番１８を介してカバー１７が取り付けてあり、その反対側にはカバーとの間に施錠部１９が設けてある。
尚図３は図１の実施例のＡ−Ａ断面矢視図であり突起部７と先端曲部１４の位置関係を示す図であり、図４は本装着装置の作動時における突起部７の位置状態を示す側面図である。
【０００６】
【発明実施の効果】
以上のように構成した本発明の図４の実施例の状態図は本装着装置を用いて外枠１２に内枠９が装着されている状態を示しているので、この状態から内枠９を取り外す場合は、カバーの施錠部１９を解錠してからカバーを開き、しかる後内枠９の両側面に取り付けた本装着装置のレバー２の手前側を指で矢印２０、２１の方向に押しつけるとレバー２は、図３に示すようにその両側面に設けた突起部７が側立板部１３および舌状側板８を弾性変形させながら先端曲部１４を乗り越えて図のような状態になる。  その状態で指を離しても突起部７は先端曲部１４に乗り上げた状態で元の図１の様な姿勢に戻ることはない、そしてその姿勢では係止爪部５はレバー２の凹部３から完全に外れているので、その状態で内枠９を手前矢印２２の方向に引けば内枠９を外枠１２から取り外すことが出来る。  逆に本装置を取り付けた内枠を外枠に装着する際は図３の矢印２２と逆方向に内枠９を押し込んでゆくとレバー２の先端部の傾斜面６がフック金具４の係止爪部５の先端に当たってレバー２の先端は傾斜面６にガイドされる形で浮き上がり係止爪部５がレバー２の凹部３の位置に到るとスプリング１１の反力でレバー２の姿勢は図１の様な状態になる、従ってその状態ではフック金具４の係止爪部５はレバー２の凹部３によって前後方向の移動を拘束されることになる。即ち内枠９は本装着装置によって外枠１２に係止拘束され装着された事になる。
以上の様に本発明品によれば内枠の外枠への取り付け取り外し作業が、取り付けの場合は内枠を外枠内に押し込むだけで、取り外しは指でレバーを押し開く動作をするだけで可能になり。  遊戯台の装着装置に本発明品を使用すれば遊戯台の入れ替え作業の効率化をはかる事が出来る。
【図面の簡単な説明】
【図１】本発明の実施例の側面図である。
【図２】本発明の実施例図１のＡ−Ａ断面図である。
【図３】本発明品の取り付け実施例の他の状態の側面図である。
【図４】本発明品の取り付け実施例の平面断面図である。
【符号の説明】
１、    支持軸
２、    レバー
３、    凹部
４、    フック金具
５、    係止爪部
６、    傾斜面
７、    突起部
８、    舌状側板
９、    内枠
１０、  保持金具
１１、  スプリング
１２、  外枠
１３、  側立板部
１４、  先端曲部
１５、１６、    係止穴
１７、  カバー
１８、  蝶番
１９、  施錠部
２０、２１、２２  矢印
【図１】
2005007121.tif 000003
【図２】
2005007121.tif 000004
【図３】
2005007121.tif 000005
【図４】
2005007121.tif 000006
(57)【要約】      （修正有）【課題】生産性を向上した車輌用座席の搭乗安定性保持整形法を提供する。【解決手段】両端に環状係着部5,6を有する紐部4をゴム、プラスチックなどの伸縮性・弾性材料により一体成形し、紐部一端の環状係着部を座席クッション芯体7裏側の固形板8に取着けられた係着鉤9に引掛け、紐部他端の環状係着部に針金、ワイヤーなどの非伸縮性線条10を結絡し、この非伸縮性線条を座席クッション芯体の上先縁から表側に回して下方に延ばし、次いで座席クッション芯体の下後縁から裏側に回して強く緊締して凹陥条Aを形成しつつ非伸縮性線条の端末を座席クッション芯体裏側の固形板に取着けられた係絡部11に結び付け止着することを特徴とする。【選択図】図５
2005007107.tif 000002
【特許請求の範囲】
【請求項１】
両端に環状係着部を有する紐部をゴム、プラスチックなどの伸縮性・弾性材料により一体成形し、紐部一端の環状係着部を座席クッション芯体裏側の固形板に連結止着し、紐部他端の環状係着部に連結した針金、ワイヤーなどの非伸縮性線条を座席クッション芯体の表側を通して回すと共に非伸縮性線条を緊締して座席クッション芯体の表側に凹陥条を形成しつつ非伸縮性線条の端末を裏側の固形板に連結止着することを特徴とする車輌用座席の搭乗安定性保掛整形法。
【発明の詳細な説明】
【０００１】
【発明の属する技術分野】
本発明は自動車等の車輌に設置する座席を製作するに当たり、腰掛ける人間の安定性と快適性を保持する様に形状を整える方法に関するものである。
【０００２】
【従来の技術】
座席を製作するに当たり、腰掛ける人間の安定性と座り心地を良くするために、背凭部と座部に間隔を有する２条の凹陥条を形成していた。
この凹陥条の形成はゴム又はプラスチックを材料として一体成形した伸縮性・弾性の紐を表皮材で覆う以前のクッション芯体に表面に沿う様に巻き付け、強く緊締してめり込む形で形成していた。
【０００３】
【発明が解決しようとする課題】
しかしながら、上記の従来方法の場合、ゴム又はプラスチックなどの伸縮性・弾性の紐は、滑り難いために緊締作業の際に必要な深さの凹陥条形状を形成することに手間と時間が掛かり、作業効率の悪化をもたらす問題点があった。
また、紐は第６図に示す様に一方の端に環状係着部１を持った紐部２の他方の端に間隔を保った複数個の係着凸起部３を形成した形状であり、この形状の紐を全体的な一体成形により製造していた。
しかしながら、車種により座席の形状、大きさは相違するに拘わらず、量産の必要上紐部１の長さが一定のために、緊締取着後の余剰分が車種により外へはみ出して美観を害することになり、従って余剰分の長さを切断除去することに加え、滑りの悪さをもたらすことにより作業の非効率化の原因ともなっていた。
【０００４】
【課題を解決するための手段】
本発明は組立て作業効率を上昇するものであって、両端に環状係着部を有する紐部をゴム、プラスチックなどの伸縮性・弾性材料により一体成形し、紐部一端の環状係着部を座席クッション芯体裏側の固形板に取着けられた係着鉤に引掛け、紐部他端の環状係着部に針金、ワイヤーなどの非伸縮性線条を結絡し、この非伸縮性線条を座席クッション芯体の上先縁から表側に回して下方に延ばし、次いで座席クッション芯体の下後縁から裏側に回して強く緊締して凹陥条を形成しつつ非伸縮性線条の端末を座席クッション芯体裏側の固形板に取着けられた係絡部に結び付け止着することを特徴とするものである。
【０００５】
【実施例】
本発明の方法を実施例図である背凭部について第１図乃至第５図に基づき以下詳細に説明する。
即ち、紐部４の両端に環状係着部５及び６を形成したものを、ゴム又はプラスチックなどの伸縮性・弾性材料の一体成形により製造する。
そして、紐部４一端の環状係着部５を座席クッション芯体７の裏側の固形板８に取着けられた係着鉤９に引掛け止着する。
次に紐部４の他端の環状係着部６に所要長の針金、ワイヤー、固化紐などの非伸縮性線条１０の一方端を結び付け、非伸縮性線条１０の他方を座席クッション芯体７の上縁から表側に回して下方へ延ばした後に座席クッション芯体７の下縁から裏側に回し、非伸縮性線条１０の他方端末を強く引張って表側面にめり込みが生じて凹陥条を形成する程度に緊締した後に非伸縮性線条１０の他方端を座席クッション芯体７の裏側の固形板８の下方に取着けられた係絡部１１に結び付け固着すれば座席クッション芯体７の表側に凹陥条Ａが形成される。
なお、伸縮性・弾性材料の紐部４と非伸縮性線条１０の連結は紐部４の他端の環状係着部６を座席クッション芯体７裏側の固形板８の係着鉤９に引掛ける作業以前、即ち施工以前に行っておいても差支え無く、作業工程の進行状態に適合する様に設定すれば良い。また、伸縮性・弾性材料の紐部４と非伸縮性線条１０の連結後の長さを座席クッション芯体７の大きさに適合する様にあらかじめ設定しておくことが肝要である。それは施工後における非伸縮性線条１０のはみ出し、余剰分の切断が解消できるからである。
さらに伸縮性・弾性材料の紐部４と非伸縮性線条１０の連結個所及び紐部４の一端及び線条１０の他端を座席クッション芯体７の裏側に連結する個所の機構は強固に連結されて離脱しなければ如何なる形状、構造、方法でも差支えない。
なお、上記の実施例においては、座席の背凭部について述べたが、座席の腰掛け座部の場合も同様である。
【０００６】
【発明の効果】
以上のように、本発明の方法によれば、緊締作用を行う紐部を伸縮性・弾性材料により形成した為に、強く引張れば、充分な締付け効果を発揮して満足す可き凹陥条が形成され、しかも引き締めの際には非伸縮性の線条により、座席クッション芯体の表面を何ら障害も無く滑るために、作業が容易になり、整形の目的が確実に達成されると共に非伸縮性の線条の長さはあらかじめ心要長に設定しておくことが出来るために余剰長のはみ出しが無く、事後切断も不要となる。
さらに伸縮性・弾性材料の紐部は金型などによる一体成形が可能となるために工場量産が採用可能となって安価に製造できる。
従って、製造面、作業面などに対する合理化が達成されて多大な経済上の効果を得ることが出来る。
【図面の簡単な説明】
【図１】本発明の方法に使用する紐部・線条の連結平面図
【図２】同上の側面図
【図３】本発明の方法による完成前面図
【図４】同上の平面図
【図５】同上のやや拡大した背面図
【図６】従来の施工法による紐部の平面図
【符号の説明】
１・・・従来法における紐部端の環状係着部
２・・・同上の紐部
３・・・同上の紐部の係着凸起部
４・・・本発明の方法における紐部
５・・・同上の紐部一端の環状係着部
６・・・同上の紐部他端の環状係着部
７・・・座席クッション芯体
８・・・同上裏側の固形板
９・・・固形板に取着けられた係着鉤
１０・・・紐部と連結した非伸縮性線条
１１・・・固形板に取着けられた係絡部
Ａ・・・座席クッション芯体の表側に形成された凹陥条
【図１】
2005007107.tif 000003
【図２】
2005007107.tif 000004
【図３】
2005007107.tif 000005
【図４】
2005007107.tif 000006
【図５】
2005007107.tif 000007
【図６】
2005007107.tif 000008
(57)【要約】本発明は名刺サイズ程度の大きさでポケットにかさばらず収納でき、どこでも相手を楽しませる事ができる。家庭、職場、飲食店等の場所で適宜ゲームを実演する事により、和やかな雰囲気になり、短時間で打ち解ける事ができる。このカードを外販営業マンや貸切りバスの乗客等に裏面をＰＲスペースとして利用する事もできる。又、当社案の数字の配列を自在に配置替えする事により、他業種との差別化を計る事もできる【解決手段】本発明のマジック数字カードは６枚の数字カードの他に解説書カードも１枚添付すれば販売促進のサービスノベルティとしても利用できる。又、当カードは紙、ビニールのケース等に収納して使用すればカードも痛めず長期間使用できる。【選択図】図１
2005007110.tif 000002
【特許請求の範囲】
【請求項１】
６枚の、それぞれ数字配列が異なった印刷物のカードが１組で構成された数字カードを、第三者に対して数字当てゲームとして提供するものである。
【発明の詳細な説明】
【０００１】
本発明は、数字の１より始まり６０までの数字を、６枚のカードにそれぞれ数字の配列が異なった位置に設定し、第三者に対して６枚のカードを並べ、その中の１枚を選定して抜き出し、その１枚のカードの中の数字を１つだけ選定する。この場合、決定した数字は選定した本人のみが知る事で、カードを並べた相手には声を出したり、指をさして示したりしないで分からない様にする。そして、残りの５枚のカードの中から、決定した数字が配置されたカードのみ選択する。その結果、決定した数字がピタリと当たり、数字を決定した者は実に不思議に思い幾度同じ事を繰り返してもピタリと当たるので関心が高まり、謎を解くべく真剣になる。そして答が分かり謎が解けると、今度はそのカードで他者とゲームをしたいと大半の方が要求される。
【０００２】
【発明の実施の形態】
本発明のカードを、ビジネス用のサービスツールとして活用するのが狙いであり、誰に対しても関心を持たれるので、当カードをランダムにセールスを行う業種に販売促進用のカードとして提供しようとするものである。例えば自動車業界保険業種、外販専門化粧品業種、又来店者サービス販売促進ツールとして使用する。この場合、何れの業種も裏面に企業のＰＲを印刷する事により、カード所持者は不特定多数の方々にゲームをし、初対面から親近感を感じて頂ける。訪問時にお客様とのコミュニケーションを短時間でスムーズにとり、最後に答を教えてカードを差し上げる。このテクニックはＰＲのみのカタログと異なり、お客様が常時携帯して第三者にゲームを行えば、その企業の無償のＰＲマンになるものである。
【図面の簡単な説明】
【図１】本発明の６枚のカードの数字配置図
【図２】本発明の数字当ての使用状態を解説したものであり、（イ）は例として２５の数字を決定した場合、２５の数字が印刷されたカードのみ選別した図である。
（ロ）は選び出したカードの左上角の数字を足す事で決定した数字が導き出される説明図である。計算式は１＋８＋１６＝２５になる。
【符号の説明】
１・・・最初の数字が３２で始まり最後の数字が１枠あけて６０で終る。
２・・・最初の数字が１６で始まり最後の数字が１枠あけて６０で終る。
３・・・最初の数字が４で始まり最後の数字が１枠あけて６０で終る。
４・・・最初の数字が８で始まり最後の数字が１枠あけて６０で終る。
５・・・最初の数字が２で始まり最後の数字が５９で終る。
６・・・最初の数字が１で始まり最後の数字が５９で終る。
７，８，９・・・第三者により決定された数字を２５と仮定する時、２５の数字が入っているカード。
１０，１１，１２・・・決定数２５を導き出す上において計算される数字が、それぞれ左角上の数字になる。
【図１】
2005007110.tif 000003
【図２】
2005007110.tif 000004
(57)【要約】【課題】この発明は、柔軟素材の一面に接着剤をつけ、指にぴったり貼りつける指ぬき貼付片に関するものである。【解決手段】柔軟材（１）の一面に接着剤（２）をつけ、そこに補助材（３）を設ける。【選択図】図１
2005007106.tif 000002
【特許請求の範囲】
【請求項１】
柔軟材（１）の一面に接着剤（２）をつけた指ぬき貼付片。
【発明の詳細な説明】
【０００１】
【発明の属する技術分野】
この発明は、柔軟素材の一面に接着剤をつけ、指にぴったり貼りつける指ぬき貼付片に関するものである。
【０００２】
【従来の技術】
指のサイズは微妙に違うことや、使う人の癖によって、指ぬきをはめる場所も違う。しかし、従来の指ぬきは安定感がないため、指に違和感を与える。したがって、指の動きは鈍くなり、縫い目のバランスが悪く、もの作りはうまくできず、作業時間もかかってしまう。効率性は非常に低い。
【０００３】
一方は衛生的にも悪い。従来のものを繰り返して使用すると、皮膚表面の汗や分泌物は指ぬきと接する面の間にこもって残り、雑菌やバイ菌を繁殖させ、皮膚炎を生じてしまう。これを他人と共用する場合は、お互いに感染し、悪循環してしまう。
【０００４】
【発明が解決しようとする課題】
本発明は以上の問題を徹底して解決するために開発されたものである。
【０００５】
【課題を解決するための手段】
具体的な解決方法は次のようになる。
柔軟材（１）の一面に接着剤（２）をつける。場合によっては、そこに、補助材（３）を設けて、補強する。
【０００６】
【発明の実施の形態】
使用するには、指ぬき貼付片をシールから外して、補強された部分（３）を指の針がよく当たる処にあてて、接着面（２）を貼る。
なお、本発明の素材やデザイン、色や形は自由に工夫することができる。例えば：表面に設計図案を入れるか、形をキャラクターにするか……
【０００７】
【発明の効果】
本発明は、材質がやわらかい、かつ接着剤付きで、指のサイズや付ける場所にこだわらず、ぴったり貼ることができる。したがって、針に当たられた時は、受けた部分の柔軟材は自然に凹み、針止めとなる。針は滑りにくい。とても便利的である。または、本発明は薄型であるために、指とフィットした一体感が、手の動きを素早くさせ、作業もきれいにできる。かなり効率的である。作業が終わると、指から簡単に外し、捨てることによっては、雑菌やバイ菌への心配はいらない。
【図面の簡単な説明】
【図１】本発明の斜視図
【符号の説明】
１  柔軟材
２  接着面
３  補助材
【図１】
2005007106.tif 000003
(57)【要約】      （修正有）【課題】角質を柔らげ、表皮・真皮の深く迄水虫薬を浸透させ水虫菌・雑菌を殺菌殲滅する治療方法を提供する。【解決手段】足に内靴下を履き｛履かない事も有る｝又は素足に液の漏れない袋を履き口を縛り上靴下又は袋を締めるものを履き袋を足になじませる。これは使用する水虫薬を出来得る限り少なくする為である。そして袋の中へ水虫菌・雑菌の繁殖が考えられる範囲以上迄水虫薬を入れ時間単位で浸漬する事で角質・表皮・真皮・迄浸透させ水虫菌・雑菌を殲滅する。又水虫菌・雑菌の繁殖している靴下・靴・浴室マツト・浴室床を完全に殺菌・消毒し再感染を防ぐ。殺菌・消毒は完治後も週１回程度行ない水虫菌・雑菌の感染を防ぐ。【選択図】図１
2005007103.tif 000002
【特許請求の範囲】
【請求項１】
水虫薬を販売している各製薬会社の  足の水虫菌・並に足の皮膚に繁殖する各種の菌  （以下雑菌と云う）  雑菌に合つた水虫薬を  最小限の使用量で  広範囲を一気に長時間浸漬し  水虫菌・雑菌を殲滅する  治療方法である。
【請求項２】
足に薄い中靴下を履き  （履かない事も有る）  又は素足に薬液の漏れない袋を履き  其の口を締め  其の袋を押さえ  薬液の液面を上げ  薬液の使用量を最小限にするために  上靴下か  又は袋を締める物を履き  袋を足になじませながら  袋の中へ  水虫薬を足首迄か  水虫菌・雑菌  の繁殖していると  思われる所以上まで入れて  長時間浸漬し  水虫菌・雑菌を殲滅する  治療方法である。
【発明の詳細な説明】
【０００１】
【産業上の利用分野】
この発明は水虫の患部を含め  水虫菌・雑菌の  付着・繁殖している範囲以上の広範囲を  各製薬会社の水虫薬のうち  患部の水虫菌・雑菌に  効果の有る種類の水虫薬に  時間単位で長時間浸漬し  角質を柔らげ  表皮・真皮の深く迄  水虫薬を浸透させ  水虫菌・雑菌を  殺菌  殲滅  する治療方法である。
【０００２】
【従来の技術】
従来は患部に太陽灯を当て（肝心な所に充分に当たらない）水虫の見える所に綿棒等で  少量の水虫薬を塗るか  スプレーで吹き付けているが  範囲も狭く  浸透性も悪く  むらも有り  其のような方法では  足全体に繁殖し  深く潜入している  水虫菌・雑菌  の根絶はむずかしく  ここ・あしこ  と繁殖し再発して  長年水虫に悩まされているのが現状である。
【０００３】
【発明が解決しようとする課題】
（１）現在行なわれている  太陽灯の照射や  少量の水虫薬の局部治療では角質・表皮・真皮に迄深く侵入繁殖し  又広範囲に繁殖した  水虫菌・雑菌を殲滅するには  太陽灯の照射  又塗り面にもむらが有り  浸透も充分ではない現在の治療方法では  完治はむずかしい。  製薬会社各社の水虫薬の中から  足の水虫菌・雑菌に合つた水虫薬を選び  少量の水虫薬の局部治療でなく  出来得る限り少ない水虫薬の量で  最高の効果を得るにはいかにするか、  水虫菌・雑菌  の繁殖範囲以上で  広範囲の  角質・表皮・真皮  まで侵入繁殖している  重度の水虫をも  完全に殲滅させるには  いかにしたら良いか、  今迄の治療方法では  何十年も根冶しなかつた水虫を  短期間で殲滅させる治療方法を研究発明した。
【発明の実施の形態】
本発明の実施について説明する。
（１）各製薬会社の中から  患者の水虫菌・雑菌に合つた  水虫薬を選び  内靴下を履き（履かない事も有る）又素足に  薬液の漏れない袋を履き足首を締め  上靴下  又は袋を押し上げる伸縮性の上袋を履いて  手で締めてなじませ  袋の中へ  水虫菌・雑菌の繁殖部以上  足首又其の上迄入れ  １日２回〜３回  長時間浸漬することで  角質・表皮・真皮  の深部まで水虫薬を浸透させ  水虫菌・雑菌を殲滅する。
（２）治療中は  靴内を２〜３日に１度  高濃度アルコールにて殺菌し  靴下は毎日殺菌・消毒して  足に再度感染する事を防ぐ。治療後も週に１〜２回は繰り返し殺菌消毒する事。
（３）浴室の床・マツト等を殺菌・消毒し  水虫菌・雑菌の殺菌をする。
【発明の効果】
本発明は  各製薬会社の水虫薬の内  水虫・雑菌にあつた水虫薬で  水虫菌・雑菌の繁殖すると考えられる以上の広範囲を  長時間浸漬する事で  水虫菌・雑菌の繁殖する  角質・表皮・真皮の深部まで  水虫薬を浸透させ  水虫菌・雑菌を殲滅させる事が出来る。
【図面の簡単な説明】
【図１】本発明の断面図
【図１】
2005007103.tif 000003
(57)【要約】【課題】従来の、携帯電話でハンズフリーによる通話を可能とするものは、ファッション性やかわいさに欠けていた。また、デザインを変更したい時に、イヤホンマイク又はヘッドホンマイクごと買い換える必要があった。これらの問題を解決する為に、ぬいぐるみとイヤホンマイク又はヘッドホンマイクを一体化させたものを提供する。【解決手段】ぬいぐるみ１に、イヤホン又はヘッドホンを出す穴２、マイクとスイッチを出す穴３、端子を出す穴５、コードを通す穴４を設け、ぬいぐるみ１とイヤホンマイク又はヘッドホンマイクを一体化し、車内の好きな場所に固定する。本発明を使用するときは、ぬいぐるみ１から出ている、イヤホン又はヘッドホン１４を、使用者の耳１２の横に固定することで、車内でのハンズフリーによる通話を可能とする。【選択図】    図１
2005007190.tif 000002
【特許請求の範囲】
【請求項１】
キャラクターや動物等のぬいぐるみに、携帯電話用のイヤホンマイク又はヘッドホンマイクの、イヤホン又はヘッドホンを出す穴、マイクとスイッチを出す穴、端子を出す穴、コードを通す穴を作る。ぬいぐるみのそれぞれの穴に、携帯電話用のイヤホンマイク又はヘッドホンマイクを通すことで、ぬいぐるみと携帯電話用のイヤホンマイク又はヘッドホンマイクを一体化し、通話時にはぬいぐるみから出ている、イヤホン又はヘッドホンを耳の横に固定することで、車内で携帯電話を使う時に、ハンズフリーによる通話を可能にする。
【発明の詳細な説明】
【発明の詳細な説明】
【技術分野】
【０００１】本発明は、ぬいぐるみと携帯電話用のイヤホンマイク又はヘッドホンマイクを一体化し、車内で携帯電話を使う時に、ハンズフリーによる通話を可能とするものである。
【背景技術】
【０００２】従来、携帯電話用のイヤホンマイク又はヘッドホンマイクで、車内で携帯電話を使う時に、ハンズフリーによる通話を可能とするものがあった。
【発明が解決しようとする課題】
【０００３】（イ）．従来の、車内で携帯電話を使う時に、ハンズフリーによる通話を可能とするものは、ファッション性やかわいさに欠けていたため、今まであまり使われていなかった。
（ロ）．従来の、車内で携帯電話を使う時に、ハンズフリーによる通話を可能とするものは、デザインを変えて使用したい時に、携帯電話用のイヤホンマイク又はヘッドホンマイクごと買い換える必要があった。
本発明は、これらの課題を解決するためになされたものである。
【課題を解決するための手段】
【０００４】キャラクターや動物等のぬいぐるみ１，１５，１７に、携帯電話用のイヤホンマイク又はヘッドホンマイクの、イヤホン又はヘッドホンを出す穴２、マイクとスイッチを出す穴３、端子を出す穴５、コードを通す穴４を設けることによって、ぬいぐるみと携帯電話用のイヤホンマイク又はヘッドホンマイクを一体化し、ファッション性やかわいさを持たせる。さらに、すでに持っているぬいぐるみから、携帯電話用のイヤホンマイク又はヘッドホンマイクをはずし、違うぬいぐるみに付け替えることで、携帯電話用のイヤホンマイク又はヘッドホンマイクを買い換えることなく、安価で簡単にデザインを変えて使用することができる。
【発明実施の形態】
【０００５】以下、本発明の実施の形態について説明する。
（イ）．ぬいぐるみ１，１５，１７に、携帯電話用のイヤホンマイク又はヘッドホンマイクの、イヤホン又はヘッドホンを出す穴２、マイクとスイッチを出す穴３、端子を出す穴５、コードを通す穴４を設け、それぞれの穴に携帯電話用のイヤホンマイク又はヘッドホンマイクを通す。
（ロ）．イヤホン又はヘッドホンを出す穴２、マイクとスイッチを出す穴３、端子を出す穴５の周りには、ゴムの輪６が着けてあるので、それぞれの穴にイヤホン又はヘッドホン１４、マイクとスイッチ９、端子１９を通した後は、ゴムの輪６が締まりそれぞれを動かないように固定する。
（ハ）．ぬいぐるみ１，１５，１７には、針金又はワイヤー７を通し、自由な姿勢に動かせ固定できるようにする。
（ニ）．ぬいぐるみ１，１５，１７には、端子を出す穴５の上に、携帯電話を入れるポケット８をつけても良い。
（ホ）．車のシート１１等、車内の好きな場所にマジックテープ１０を取り付け、ぬいぐるみ１，１５，１７をその上に固定する。ぬいぐるみ１，１５，１７がマジックテープにつきにくい素材であれば、ぬいぐるみ１，１５，１７にもマジックテープを取り付け、固定する。
（ヘ）．本発明を使用するときは、ぬいぐるみ１，１５，１７から出ている、イヤホン又はヘッドホン１４を使用者の耳１２の横に固定し、マイクとスイッチ９のスイッチを押すことで、車内でのハンズフリーによる通話を可能にする。
（ト）．ぬいぐるみ１，１５，１７は、運転の邪魔にならない大きさとし、設置場所も運転の邪魔にならない場所に設置する。
【発明の効果】
【０００６】かわいさやファッション性を持たせることで、車内でのハンズフリーによる携帯電話の使用を普及させ、運転中の事故を防ぐ。また、デザインの変更を安価で簡単にすることによって、車内でのハンズフリーによる携帯電話の使用を、長期間定着させることができる。
【図面の簡単な説明】
【図１】    本発明の正面図である。
【図２】    本発明の使用状態を示す正面図である。
【図３】    本発明の正面図である。
【図４】    本発明の正面図である。
【符号の説明】
１さるのぬいぐるみ
２イヤホン又はヘッドホンを出す穴
３マイクとスイッチを出す穴
４コードを通す穴
５端子を出す穴
６ゴムの輪
７針金又はワイヤー
８携帯電話を入れるポケット
９マイクとスイッチ
１０マジックテープ
１１車のシート
１２使用者の耳
１３携帯電話
１４イヤホン又はヘッドホン
１５くまのぬいぐるみ
１６くまのぬいぐるみの一部分（スティック）
１７イルカのぬいぐるみ
１８携帯電話用のイヤホンマイク又はヘッドホンマイクのコード
１９端子
【図１】
2005007190.tif 000003
【図２】
2005007190.tif 000004
【図３】
2005007190.tif 000005
【図４】
2005007190.tif 000006
(57)【要約】【課題】断熱されている保温調理鍋は、加熱後に鍋を別の断熱容器に入れるような構造であり、かさばり、使用しにくい。【解決手段】二重構造の鍋底部に、サーモサイフォン（４）を設置する。また、鍋側面には断熱層（２）を設ける。【選択図】  図１
2005007131.tif 000002
【特許請求の範囲】
【請求項１】
二重構造の鍋の底部をサーモサイフォン（４）とし、鍋の側面に断熱層（２）を設けた保温調理鍋。
【請求項２】
サーモサイフォン（４）の蒸発器（９）にウィック（１１）を取り付けた請求項１記載の保温調理鍋。
【請求項３】
サーモサイフォン（４）の凝縮器（６）の表面積をフィン（６ａ）等で増やした請求項１又は２記載の保温調理鍋。
【発明の詳細な説明】
【０００１】
【発明の属する技術分野】
本発明は、調理鍋の熱伝達機構及び保温機構に関するものである。
【０００２】
【従来の技術】
従来の保温調理鍋においては、鍋（１２）全体を断熱してしまう為、鍋（１２）の内部からの熱の流出は小さいが、断熱容器（１３）の外から熱が流れ込まない。従って、断熱容器（１３）外部から鍋（１２）内部を直接加熱することが出来ず、断熱容器（１３）と鍋（１２）本体が分離式にされているものがある。（例えば、特許公開２００２−７８６２２号公報参照）。
【０００３】
【発明が解決しようとする課題】
以上の従来技術によれば、保温調理鍋においては、鍋（１２）の内容物を加熱後に内部からの熱の逃げを抑える為に、別の断熱容器（１３）を用意して、鍋（１２）をその中へ入れるような構造になっており、かさばり、かつ、使用しにくいという問題があった。
【０００４】
本発明は、サーモサイフォンの熱の一方通行性を利用することで直接内容物を加熱でき、かつ内容物が冷めにくい、断熱容器と一体型の調理鍋を提供することを目的としている。
【０００５】
【課題を解決するための手段】
上記目的を達成するために、請求項１の発明は、二重構造の鍋の底部をサーモサイフォンとし、鍋の側面に断熱層を設けた保温調理鍋である。
【０００６】
請求項２の発明は、サーモサイフォンの蒸発器にウィックを取り付けた請求項１記載の保温調理鍋である。
【０００７】
請求項３の発明は、サーモサイフォンの凝縮器の表面積をフィン等で増やした請求項１又は２記載の保温調理鍋である。
【０００８】
【発明の実施の形態】
この発明の実施形態を、図面を参照して以下に説明する。図１に於いて、金属製の鍋本体は底面と側面が中空の二重構造になっており、鍋の側面の中空部分は断熱層（２）、鍋の底部の中空部分がサーモサイフォン（４）を形成している。鍋の内側底壁（５）の下面は凝縮器（６）になっており、ここにサーモサイフォン内部（７）を満たす作動液蒸気が凝縮する。
【０００９】
サーモサイフォン内部（７）は作動液（８）及び、作動液の蒸気以外を含まないように空気が排出されている。鍋の外側底壁（１０）の上面は蒸発器（９）で作動液（８）が溜っている。サーモサイフォン内部（７）の圧力は鍋の外側底壁（１０）と蒸発器（９）の温度における作動液（８）の蒸気圧にほぼ等しくなっている。
【００１０】
図２に示される実施例では、蒸発器（９）にウィック（１１）が設置されており、作動液（８）はウィック（１１）に浸透している。
【００１１】
図３に示される実施例では、凝縮器（６）は、例えばフィン（６ａ）を設けることで、その表面積が増やされている。
【００１２】
【発明の効果】
本発明は、以上説明したように構成されているので、以下に記載されるような効果を奏する。
【００１３】
これらの実施形態によれば、加熱時には、蒸発器に溜っている作動液が蒸発し、鍋の内側底壁下面に位置する凝縮器で凝縮することで、鍋外部から内部へ熱を伝える。また、鍋側面に位置する断熱層が熱の外部への損失を抑制する。
【００１４】
非加熱時には、サーモサイフォン内部の圧力は、鍋の内容物の温度より低い鍋の外側底壁と蒸発器の温度における作動液の蒸気圧にほぼ等しくなる。
【００１５】
したがって、作動液を適切に選択することで作動液の蒸気圧が低く抑えられ、サーモサイフォン内部での熱の対流、伝導が抑制されて、凝縮器からサーモサイフォン内部を通り外側底壁を経て鍋外部への熱の流出が抑制される。つまり、熱は外側底壁から蒸発器を経由して凝縮器への一方向にしか流れないため、熱の外部への損失を少なくすることができる。
【００１６】
また、図２の実施形態によれば、蒸発器に溜っている作動液は、蒸発器内部に設置されたウィックに染み込んでいるために、飛び跳ねることが無い。
【００１７】
これにより、鍋の内容物が高温で、かつ、鍋が加熱されていない時に、鍋がゆすられる事などが原因で作動液が高温の凝縮器に跳ねて蒸発することでサーモサイフォン内部の圧力を高め、断熱性を阻害するようなことが無くなると期待できる。
【００１８】
また、図３の実施形態によれば、凝縮器に設けられたフィン等により、その表面積が増し、作動液蒸気の凝縮がより効率良く行われることによって、効率の良い熱伝達を得ることができる。
【図面の簡単な説明】
【図１】この発明の一実施形態を示した断面図である。
【図２】この発明の一実施形態を示したサーモサイフォン部の断面図である。
【図３】この発明の一実施形態を示したサーモサイフォン部の断面図である。
【図４】従来技術を示した断面図である。
【符号の説明】
１    内側側壁
２    断熱層
３    外側側壁
４    サーモサイフォン
５    内側底壁
６    凝縮器
６ａ  フィン
７    サーモサイフォン内部
８    作動液
９    蒸発器
１０  外側底壁
１１  ウィック
１２  鍋
１３  断熱容器
【図１】
2005007131.tif 000003
【図２】
2005007131.tif 000004
【図３】
2005007131.tif 000005
【図４】
2005007131.tif 000006
(57)【要約】【課題】素足、又は履物に装着できる足枕として提供する。【解決手段】弾性体（ゴム、フッ素樹脂等）により成る外径５センチ、長さ７センチ程度のチュウブ（１）に、足装着用バンド（２）を通して２個を一組とするバンド付足枕とする。尚、バンドに代えてこれをスタンドにすることも考えられる。【選択図】      図１
2005007135.tif 000002
【特許請求の範囲】
【請求項１】
弾性体（ゴム、フッ素樹脂等）により成る外径５センチ長さ７センチ程度のチュウブ（１）とバンド（２）を組み合せた２個を一組とするバンド付足枕。
【請求項２】
両側に二箇所（３ａ）縦に、中心線に一本（３ｂ）横に、切り込みを入れた弾性体（ゴム、フッ素樹脂等）により成る甲当て（４）。
【請求項３】
請求項２記載の甲当て（４）と平板ゴムを組み合せとする請求項１に記載するバンド（２）。
【請求項４】
バンド（２）に代えてこれをスタンド（８）にする請求項１記載の足枕。
【請求項５】
等間隔の平行溝（７）をもつ溝付チュウブ（６）と、これと同じ平行溝（７）を内面で噛み合う挟み板（８ａ）二枚、底板（８ｂ）一枚の三枚で構成するスタンド（８）と溝付チュウブ（６）を組み合せとする請求項４記載の足枕。
【発明の詳細な説明】
【０００１】
【発明の属する技術分野】
この発明は、足枕に関するものである。
【０００２】
【従来の技術】
従来、足先を支える台座は観光バス、列車などで見受けられた。
【０００３】
【発明が解決しようとする課題】
これは次のような欠点があった。
固定的であるため足の位置が制限され不自由であった。
【０００４】
【課題を解決するための手段】
チュウブ（１）を足枕とし、バンド（２）で足裏に着脱可能にした。
尚、バンド（２）に代えてスタンド（８）にすることも考えれる
【０００５】
【発明の実施の形態】
以下、本発明の実施の形態について説明する。
【０００６】足枕の本体を弾性体（ゴム、フッ素樹脂等）により成る外径５センチ長さ７センチ程度のチュウブ（１）とする。
【０００７】弾性体（ゴム、フッ素樹脂等）により成る楕円板の両側に、縦に二個所（３ａ）、中心線に一本（３ｂ）の切り込みを入れて甲当て（４）を形成する。
【０００８】甲当て（４）の中心線（３ｂ）を開いて平板ゴムを挟み込み足枕のバンド（２）とする。
【０００９】チュウブ（１）の穴にバンド（２）を通して両端を接着して、一個のバンド付足枕とする。
【００１０】平行溝（７）をもつ溝付チュウブ（６）と同じ幅の溝をもつ挟み板（８ａ）二枚  、底板（８ｂ）一枚を、溝（７）を噛み合わせて、両脇の固着部（９）で固着してスタンド（８）を構成する。
【００１１】スタンド（８）の挟み板（８ａ）を観音開きに開いて溝付チュウブ（６）を挟み、溝付チュウブ（６）の平行溝（７）と挟み板（８ａ）、底板（８ｂ）内面の平行溝（７）を噛み合わせてスタンド（８）付足枕とする。
【００１２】
【形態の特長】
【００１３】素足、履物の上からでも容易に足枕の着脱が可能である。
【００１４】装着したままでも若干の移動が可能である。
【００１５】足枕（１）本体が弾性体（ゴム、フッ素樹脂等）で出来ているため滑り止めになっている。
【００１６】床面の多少の凹凸でもチュウブ（１）の空間が柔軟に吸収して足裏に均等の圧を伝えることができる。
【００１７】バンド（２）を平板ゴムにすることによってチュウブ（１）を安定的に足裏に密着させることができる。
【００１８】甲当て（４）の中心線に切り込み（３ｂ）を入れることによってバンド通しの作業が簡単にできる。
【００１９】スタンド付足枕は、溝付チュウブ（６）の溝（７）とスタンド（８）の溝（７）が合致するため挟み板（８ａ）と底板（８ｂ）の間に溝付チュウブ（６）を挟み溝付チュウブを簡単に安定させることができる。
【００２０】スタンド（８）は底板（８ｂ）を二つ折りにして溝付チュウブ（６）の胴体内部に収納できるので携帯に便利である。
【００２１】
【実施例】
バンド（２）でチュウブ（１）を素足又は履物（５）に縛って使用する。
【００２２】溝付チュウブ（６）単体で使用する場合は、溝付チュウブ（６）の上に足を乗せて本体を前後に転がし、足裏全面のマッサージと足首、膝、の屈伸運動を、又、圧を加減してふくらはぎの弛緩運動を行う。
【００２３】スタンド付で使用するときは、スタンド（８）に溝付チュウブ（６）を挟んで本体を安定させて定位置で足首の屈折、ふくらはぎの弛緩運動を行う。
【００２４】天地何れの面でも足首の屈折ならびに、圧の加減によるふくらはぎの弛緩運動ができる。
【００２５】又、かかとを床面につけ足裏を溝付チュウブ（６）にてかけて足枕とし、自由な足の位置で楽な姿勢をとることができる。
【００２６】
【発明の効果】
【００２７】腰掛けたとき爪先が上向きになるためふくらはぎの緊張がほぐれて疲れない。
【００２８】土踏まずに適度の圧を加えたり、足首の前後運動が自由にできるので疲れがとれやすい。
【００２９】又、尻にかかる重心点が分散化するため長時間椅子に座っても楽である。
【図面の簡単な説明】
【図１】本発明の、バンド付足枕の斜視図である。
【図２】本発明の、甲当て（４）の斜視図である。
【図３】本発明の、バンド付足枕の使用状態を示す斜視図である。
【図４】本発明の、溝付チュウブ（６）の斜視図である。
【図５】本発明の、スタンド（８）の斜視図である。
【図６】本発明の、溝付チュウブ（６）とスタンド（８）を合体させた状態を示す斜視図である。
【図７】本発明の、スタンド（８）を溝付チュウブ（６）内に収容した状態を示す側面図である。
【図８】本発明の、溝付チュウブ（６）に素足を乗せた状態を示す斜視図である。
【図９】本発明の、スタンド（８）と溝付チュウブ（６）を合体させ、底板（８ｂ）を上向きにして使用する状態を示す側面図である。
【図１０】本発明の、スタンド（８）と溝付チュウブ（６）を合体させ、溝付チュウブ（６）を上向きにして使用する状態を示す側面図である。
【符号の説明】
１．チュウブ        ２．バンド        ３ａ．ｂ．切り込み
４．甲当て          ５．履物          ６．溝付チュウブ
７．平行溝          ８．スタンド      ８ａ．挟み底板
８ｂ．底板          ９．固着部
【図１】
2005007135.tif 000003
【図２】
2005007135.tif 000004
【図３】
2005007135.tif 000005
【図４】
2005007135.tif 000006
【図５】
2005007135.tif 000007
【図６】
2005007135.tif 000008
【図７】
2005007135.tif 000009
【図８】
2005007135.tif 000010
【図９】
2005007135.tif 000011
【図１０】
2005007135.tif 000012